(57)【要約】  本発明は、情報収集技術の分野に属し、着用物品の自動情報収集及び利用を実現するのを目的とする。本発明は着用物品情報収集システム及び方法を提供し、当該システムは、着用物品のオリジナル情報を収集するための情報収集装置と、情報収集装置と通信し、情報収集装置により収集されたオリジナル情報を受信して、オリジナル情報から着用物品の特徴情報を抽出するための処理装置とを備える。当該方法は、着用物品のオリジナル情報を収集することと、オリジナル情報から着用物品の特徴情報を抽出することとを含む。本発明の着用物品情報収集システム及び方法により、着用物品の情報収集、分析処理、データ記憶及び三次元モデリングを実現でき、人が行う代わりに機器を利用して、ユーザーの着用物品の情報及びニーズを記録し、作業効率を向上させながら、情報記録の精度を向上させ、ユーザーに対するその後のサービスをより適切に実行させる。【選択図】図１
2020536298.tif 000002
【特許請求の範囲】
【請求項１】
着用物品のオリジナル情報を収集するための情報収集装置と、
前記情報収集装置と通信し、前記オリジナル情報を受信すると共に、前記オリジナル情報から着用物品の特徴情報を抽出するための処理装置とを備えることを特徴とする
着用物品情報収集システム。
【請求項２】
前記情報収集装置は画像収集装置であり、前記オリジナル情報は着用物品の画像情報であることを特徴とする
請求項１に記載の着用物品情報収集システム。
【請求項３】
前記情報収集装置はハウジングと、前記ハウジング内に設けられるターンテーブル及びカメラを含み、前記ターンテーブルが着用物品を載置することに用いられ、前記カメラが前記ターンテーブルが着用物品を回転している間、着用物品の画像情報を撮影することに用いられることを特徴とする
請求項２に記載の着用物品情報収集システム。
【請求項４】
前記情報収集装置は、前記ターンテーブルに接続され、前記ターンテーブルを回転させるためのドライバーをさらに含むことを特徴とする
請求項３に記載の着用物品情報収集システム。
【請求項５】
前記ターンテーブルは前記ハウジングの内底部に設けられ、前記カメラは前記ハウジングの内頂部に設けられ、前記カメラと前記ターンテーブルの位置が相対的に固定されていることを特徴とする
請求項３に記載の着用物品情報収集システム。
【請求項６】
前記着用物品は靴であることを特徴とする
請求項１〜５のいずれか一項に記載の着用物品情報収集システム。
【請求項７】
前記特徴情報は靴のサイズ、スタイル、カテゴリ、色、ブランド、汚れた位置、汚れ具合、損傷した位置、損傷具合の少なくとも１種を含むことを特徴とする
請求項６に記載の着用物品情報収集システム。
【請求項８】
前記着用物品情報収集システムは記憶装置をさらに備え、前記オリジナル情報及び前記特徴情報が前記記憶装置に記憶されていることを特徴とする
請求項１〜５のいずれか一項に記載の着用物品情報収集システム。
【請求項９】
前記オリジナル情報及び前記特徴情報はデータパケットの形式で前記記憶装置内に記憶されていることを特徴とする
請求項８に記載の着用物品情報収集システム。
【請求項１０】
前記着用物品情報収集システムはクラウドサーバーをさらに備え、前記クラウドサーバーが処理ユニット及び記憶ユニットを含み、前記処理ユニットにより前記処理装置が構成され、前記記憶ユニットにより前記記憶装置が構成されることを特徴とする
請求項８に記載の着用物品情報収集システム。
【請求項１１】
前記処理装置は前記特徴情報に基づいて着用物品の３Ｄモデルを構築することもできることを特徴とする
請求項１〜５のいずれか一項に記載の着用物品情報収集システム。
【請求項１２】
着用物品のオリジナル情報を収集することと、
前記オリジナル情報から着用物品の特徴情報を抽出することとを含むことを特徴とする
着用物品情報収集方法。
【請求項１３】
前記オリジナル情報は着用物品の画像情報であり、「着用物品のオリジナル情報を収集すること」のステップは、具体的に、カメラによって着用物品の画像を撮影することを含むことを特徴とする
請求項１２に記載の着用物品情報収集方法。
【請求項１４】
「着用物品のオリジナル情報を収集すること」のステップの前又はその同時に、前記着用物品情報収集方法は、着用物品を回転させることをさらに含むことを特徴とする
請求項１３に記載の着用物品情報収集方法。
【請求項１５】
前記着用物品は靴であることを特徴とする
請求項１２〜１４のいずれか一項に記載の着用物品情報収集方法。
【請求項１６】
前記特徴情報は靴のサイズ、スタイル、カテゴリ、色、ブランド、汚れた位置、汚れ具合、損傷した位置、損傷具合の少なくとも１種を含むことを特徴とする
請求項１５に記載の着用物品情報収集方法。
【請求項１７】
前記着用物品情報収集方法は、前記オリジナル情報及び前記特徴情報を記憶することをさらに含むことを特徴とする
請求項１２〜１４のいずれか一項に記載の着用物品情報収集方法。
【請求項１８】
「前記オリジナル情報及び前記特徴情報を記憶すること」のステップは、具体的に、前記オリジナル情報及び前記特徴情報をデータパケットの形式で記憶することを含むことを特徴とする
請求項１７に記載の着用物品情報収集方法。
【請求項１９】
「着用物品の特徴情報を抽出すること」及び「前記オリジナル情報及び前記特徴情報を記憶すること」の操作はバックグラウンド又はクラウドで行われることを特徴とする
請求項１７に記載の着用物品情報収集方法。
【請求項２０】
前記着用物品情報収集方法は、前記特徴情報に基づいて、着用物品の３Ｄモデルを構築することをさらに含むことを特徴とする
請求項１２〜１４のいずれか一項に記載の着用物品情報収集方法。
【発明の詳細な説明】
【技術分野】
【０００１】
本発明は情報収集技術の分野に属し、具体的に着用物品情報収集システム及び方法を提供する。
【背景技術】
【０００２】
着用物品とは、人体に着用できる衣類、靴、帽子及びスカーフなどを指し、人によって着用物品の好みが異なり、一定期間着用した後、着用物品に汚れ、損傷及び変色が生じる場合がある。靴を例にすると、人によって靴の好みが異なり、例えば、多くの男性は暗い色の靴を好み、多くの女性は明るい色の靴を好み、靴を一定期間着用すると、靴の内部及び表面に汚れが生じたり、損傷したり、変色したりすることがある。特殊な状況においては、靴の情報記録が必要である。例えば、靴をクリーニングする店では、さまざまなユーザーの靴をクリーニングする必要があり、クリーニングする前に、ユーザー情報（主に名前、性別、受付時間、引き取り時間など）及び靴情報（主に靴のブランド、スタイル、生地、色、サイズ、汚れ具合など）を登録する必要があり、それらをカスタマイズして靴のクリーニングを行う。別の例として、靴屋では、ユーザーが購入した靴に関する情報を登録して、靴に関する情報を収集することにより、ユーザーの好みや異なる靴の人気度を知ることで、ユーザーにより似合う靴を勧め、市場のニーズに遅れないようにすることができる。
【０００３】
ビッグデータテクノロジーの継続的な開発と普及により、従来の単純な人が行う記録ではなく、自動収集、分析処理、及び情報記憶などの方法を着用物品に適用できるようになり、便利な生活を促進しながら作業効率を向上させ、それにより情報技術を利用してユーザーにより良いサービスを提供することが可能である。
【０００４】
したがって、上記課題を解決するための新しい着用物品情報収集システム及び方法が当技術分野で必要とされている。
【発明の概要】
【０００５】
従来技術における上記課題を解決するため、すなわち、着用物品の自動情報収集及び利用を実現するために、本発明は着用物品情報収集システムを提供し、当該着用物品情報収集システムは、着用物品のオリジナル情報を収集するための情報収集装置と、情報収集装置と通信し、情報収集装置により収集されたオリジナル情報を受信する、及びオリジナル情報から着用物品の特徴情報を抽出するための処理装置とを備える。
【０００６】
上記の着用物品情報収集システムの好ましい技術手段では、情報収集装置は画像収集装置であり、オリジナル情報は着用物品の画像情報である。
【０００７】
上記の着用物品情報収集システムの好ましい技術手段では、情報収集装置はハウジング及びハウジング内に設けられるターンテーブル及びカメラを含み、ターンテーブルが着用物品を載置することに用いられ、カメラはターンテーブルが着用物品を回転させている間、着用物品の画像情報を撮影することに用いられる。
【０００８】
上記の着用物品情報収集システムの好ましい技術手段では、情報収集装置は、ターンテーブルに接続されて、ターンテーブルを回転駆動するためのドライバーをさらに含む。
【０００９】
上記の着用物品情報収集システムの好ましい技術手段では、ターンテーブルがハウジングの内底部に設けられ、カメラがハウジングの内頂部に設けられ、カメラとターンテーブルの位置が相対的に固定されている。
【００１０】
上記の着用物品情報収集システムの好ましい技術手段では、着用物品は靴である。
【００１１】
上記の着用物品情報収集システムの好ましい技術手段では、特徴情報は、靴のサイズ、スタイル、カテゴリ、色、ブランド、汚れた位置、汚れ具合、損傷した位置、損傷具合の少なくとも１つを含む。
【００１２】
上記の着用物品情報収集システムの好ましい技術手段では、着用物品情報収集システムは、内部にオリジナル情報及び特徴情報が記憶された記憶装置をさらに備える。
【００１３】
上記の着用物品情報収集システムの好ましい技術手段では、オリジナル情報及び特徴情報は、データパケットの形式で記憶装置内に記憶されている。
【００１４】
上記の着用物品情報収集システムの好ましい技術手段では、着用物品情報収集システムはクラウドサーバーをさらに備え、クラウドサーバーが処理ユニット及び記憶ユニットを含み、処理ユニットにより処理装置が構成され、記憶ユニットにより記憶装置が構成される。
【００１５】
上記の着用物品情報収集システムの好ましい技術手段では、処理装置は特徴情報に基づいて着用物品の３Ｄモデルを構築することもできる。
【００１６】
他方では、本発明は着用物品情報収集方法をさらに提供し、当該着用物品情報収集方法は、着用物品のオリジナル情報を収集することと、オリジナル情報から着用物品の特徴情報を抽出することとを含む。
【００１７】
上記着用物品情報収集方法の好ましい技術手段では、オリジナル情報は着用物品の画像情報であり、「着用物品のオリジナル情報を収集すること」のステップは、具体的に、カメラによって着用物品の画像を撮影することを含む。
【００１８】
上記着用物品情報収集方法の好ましい技術手段では、「着用物品のオリジナル情報を収集すること」のステップの前又はその同時に、着用物品情報収集方法は、着用物品を回転させることをさらに含む。
【００１９】
上記着用物品情報収集方法の好ましい技術手段では、着用物品は靴である。
【００２０】
上記着用物品情報収集方法の好ましい技術手段では、特徴情報は、靴のサイズ、スタイル、カテゴリ、色、ブランド、汚れた位置、汚れ具合、損傷した位置、損傷具合の少なくとも１種を含む。
【００２１】
上記着用物品情報収集方法の好ましい技術手段では、着用物品情報収集方法は、オリジナル情報及び特徴情報を記憶することをさらに含む。
【００２２】
上記着用物品情報収集方法の好ましい技術手段では、「オリジナル情報及び特徴情報を記憶すること」のステップは、具体的に、データパケットの形式でオリジナル情報及び特徴情報を記憶することを含む。
【００２３】
上記着用物品情報収集方法の好ましい技術手段では、「着用物品の特徴情報を抽出すること」及び「オリジナル情報及び特徴情報を記憶すること」の操作はバックグラウンド又はクラウドで行われている。
【００２４】
上記着用物品情報収集方法の好ましい技術手段では、着用物品情報収集方法は、特徴情報に基づいて着用物品の３Ｄモデルを構築することをさらに含む。
【００２５】
当業者は、本発明の好ましい技術手段において、着用物品のオリジナル情報を自動的に収集して、特徴情報を抽出することにより、着用物品の複数の情報を分析して記憶することができ、ユーザーの着用物品の情報を自動的に記録することを理解できる。靴を例にすると、ユーザーの靴をクリーニングする前に、靴のオリジナル情報を収集し、靴の汚れ具合、汚れた位置、損傷具合、及び損傷した位置などの特徴情報を抽出して、それらをカスタマイズして靴のクリーニングを実現し、同時に上記靴の損傷情報を事前に記録して、ユーザーが靴の損傷状況を事前に知り、クリーニング過程において靴に損傷を与えるという勘違いを回避することで、トラブルを避けることができ、靴のクリーニングを実現しながら、ユーザーに対してより良いサービスを提供し、ユーザーエクスペリエンスを向上させることができる。また靴を例にすると、靴をユーザーに販売する過程で、靴のサイズ、スタイル、カテゴリ、色、ブランドなどの特徴情報をタイムリーに記録し、ユーザーの好みを分かることができ、ユーザーにより似合う靴を勧め、同様にユーザーエクスペリエンスも向上させることができる。人による記録方法と比較して、本発明の着用物品情報収集システムは、作業効率を大幅に高め、情報記録の精度を向上させ、情報技術を使用してユーザーに対してより良いサービスの提供を実現する。
【００２６】
さらに、画像収集装置によって着用物品の画像情報を収集し、画像識別の方法によって着用物品の画像情報における特徴情報を抽出する。好ましい解決手段では、着用物品の画像情報を収集する際、着用物品を回転状態にすることで、着用物品に対して、全方位かつ多角度の画像収集を行い、着用物品の画像収集には死角がないので、着用物品の画像情報からより多くの特徴情報を抽出することができ、ユーザーのニーズをより全面的に知ることができ、ユーザーに対するその後のサービスをより適切に実行できる。
【００２７】
さらに、記憶装置によって着用物品のオリジナル情報及び特徴情報を記憶してユーザーデータの記憶を容易にし、上記着用物品の情報を呼び出し及び分析しやすく、ユーザーのニーズと市場のニーズをより簡単に理解できる。また、好ましくは、上記オリジナル情報及び特徴情報をデータパケットの形式で記憶し、すべてのユーザーの異なる着用情報をブロック化して記憶し、その後の作業でユーザーの着用情報を分析し、及び呼び出すことが容易になる。
【００２８】
さらに、クラウドサーバーを利用して着用物品の情報を分析処理して及びデータ記憶し、ローカルサーバーのスペースを節約し、ローカルサーバーが過量のデータによる情報の分析処理効率及びデータ記憶効率への影響を避け、ユーザーリソースの共有とインタラクションを実現し、それにより、すべてのユーザーの着用物品を集めて処理及び分析し、ユーザーの市場ニーズをタイムリーに知ることができる。
【００２９】
また、さらに、本発明の処理装置は、着用物品の特徴情報に基づいて、着用物品に対応する３Ｄモデルを構築することができ、ユーザー着用情報のステレオ分析処理及びデータ記憶を実現し、また、当該３Ｄモデルを編集及び閲覧でき、それにより、ユーザーの着用物品をより直感的に閲覧することができる。
【００３０】
また、本発明は、上記着用物品情報収集システムに基づいて、着用物品情報収集方法をさらに提供し、当該方法により、着用物品の情報収集、分析処理、データ記憶及び三次元モデリングを実現し、人が行う代わりに機器を利用して、ユーザーの着用物品の情報及びニーズを記録し、作業効率を向上させながら、情報記録の精度を向上させ、ユーザーに対する後続のサービスをより適切に実行させる。
【図面の簡単な説明】
【００３１】
【図１】図１は、本発明に係る着用物品情報収集システムの実施例の構造概略図である。
【図２】図２は、本発明に係る着用物品情報収集方法の実施例のフローチャートである。
【発明を実施するための形態】
【００３２】
以下、本発明の好ましい実施形態を添付の図面を参照しながら説明する。当業者は、これらの実施形態が本発明の技術的原理を説明するためにのみ使用され、本発明の保護範囲を限定することを意図しないことを理解すべきである。
【００３３】
なお、本発明の説明において、「内」という用語は、図面に示される方向又は位置関係に基づいており、これは単に説明の便宜上のものであり、前記装置又は素子が特定の方位を有し、特定の方位で構築及び操作しなければならないことを示したり暗示したりしないため、本発明に対する制限として理解することはできない。
【００３４】
なお、さらに、本発明の説明では、特に指定及び限定されない限り、「取付」及び「接続」という用語は広義に理解されるべきであり、例えば、固定接続してもよく、取り外し可能に接続してもよく、又は一体的に接続してもよく、機械的又は電気的に接続してもく、直接接続してもよく、中間媒体を介して間接的に接続してもよく、２つの素子の内部を連通してもよい。当業者にとって、本発明における上記用語の特定の意味は、具体的な場合に従って理解することができる。
【００３５】
着用物品の自動情報収集及び利用を実現するために、本発明は、背景技術に基づいて、着用物品情報収集システム及び方法を提供し、着用物品に対して、自動情報収集、分析処理、データ記憶及び三次元モデリングを実現可能なシステム及び方法を提供することを図り、人が行う代わりに機器を利用して、ユーザーの着用物品の情報及びニーズを記録し、作業効率を向上させながら、情報記録の精度を向上させ、ユーザーに対する後続のサービスをより適切に実行させる。
【００３６】
具体的に、本発明は着用物品情報収集システムを提供し、当該着用物品情報収集システムは、着用物品のオリジナル情報を収集するための情報収集装置と、情報収集装置と通信し、情報収集装置により収集されたオリジナル情報及びオリジナル情報から着用物品の特徴情報を抽出するための処理装置とを備える。その中で、オリジナル情報は着用物品の画像情報であり、画像情報を収集することにより、画像情報における特徴情報を抽出してもよい。又は、オリジナル情報は着用物品についてユーザが説明した音声情報であり、音声情報を識別することにより、ユーザによる説明中の特徴情報を抽出してもよい。オリジナル情報の収集が着用物品を反映でき、かつ特徴情報を抽出できるのであれば、当業者は、実際の応用では、オリジナル情報のカテゴリ及び具体的な形式を柔軟に選択することができる。また、特徴情報は、着用物品のサイズ、スタイル、カテゴリ、色、ブランド、汚れた位置、汚れ具合、損傷した位置、損傷具合などを含み、上記の特徴情報を抽出することにより、ユーザーのニーズを分かり、ユーザーに対する後続のサービスをより適切に実行できる。
【００３７】
なお、本発明の技術手段において、着用物品は、シャツ、ズボン、スカート、コート、靴、帽子、スカーフ、ベルト、バッグ、時計、及びリストバンドなどの、人体に着用できる任意の衣類又は機器であってもよく、即ち、本発明の着用物品情報収集システムによって情報収集を実現できるのであれば、このような着用物品の具体的な構造、形式、又は類型の変更は、本発明の技術手段から逸脱しない。
【００３８】
以下では、情報収集装置を画像収集装置とし、収集したオリジナル情報を着用物品の画像情報として、着用物品を靴として例を挙げ、本発明の技術的解決手段を詳細に説明する。
【００３９】
好ましい実施例において、図１に示すように、当該着用物品情報収集システムは画像収集装置を備え、当該画像収集装置がハウジング１と、ハウジング１内に設けられるターンテーブル２及びカメラ３を含み、ターンテーブル２が靴を載置することに用いられ、カメラ３はターンテーブル２が靴を回転させている最中に、靴の画像情報を撮影することに用いられる。ターンテーブル２の回転により靴を回転させ、カメラ３によって靴の多角度かつ全方位の画像を収集する。実際の応用では、ターンテーブル２を常に回転状態にし、カメラ３がビデオ録画又は連続撮影の方式により、ターンテーブル２における靴の画像を収集し、又は、ターンテーブル２を断続的に回転させ、即ち、一つの角度で回転する度に１回停止し、カメラ３を使用して、一時停止状態にある靴を撮影して画像を収集する。カメラ３により靴に対する全方位での収集を実現できるのであれば、当業者は、実際の応用では、カメラ３による靴の画像収集方式を柔軟に設定することができる。
【００４０】
また、画像収集装置はターンテーブル２に接続され、ターンテーブル２を回転駆動するためのドライバーをさらに含む。ドライバーはターンテーブル２を回転駆動させることができ、その中で、ドライバーはモーターであることが好ましく、即ち、モーターにより出力される回転駆動力によってターンテーブル２を回転駆動させる。当然、これは限定的なものではなく、ドライバーが回転出力を実現できる他の機構を採用してもよく、ドライバーによってターンテーブル２の回転駆動を実現できるのであれば、当業者は、実際の実用では、ドライバーの構造を柔軟に設定することができる。
【００４１】
ある可能な状況では、ターンテーブル２はハウジング１の内底部に設けられ、カメラ３はハウジング１の内頂部に設けられ、カメラ３とターンテーブル２との位置が相対的に固定され、即ち、ハウジング１の頂部にあるカメラ３によって、ターンテーブル２における靴に対して画像を収集する。これについて、カメラ３とターンテーブル２の位置を相対的に固定することにより、本発明は靴の画像サイズ（すなわち、画像における靴のサイズ）と実際のサイズとを正確に対応させ、したがって、撮影した画像に基づく靴の実際のサイズの決定がより容易になる。これについて、例えば、本発明は、カメラ３とターンテーブル２の相対位置（距離と角度を含む）を決定した後、さまざまな画像サイズと靴サイズの間のマッピング関係をルックアップテーブルの形で事前に記憶することで、その後の特徴情報の効率的な抽出を容易にする。もちろん、上記ターンテーブル２とカメラ３の設置位置は例示に過ぎず、当業者は実際の応用では、カメラ３及びターンテーブル２の実際の取付位置を柔軟に調整及び設置することができ、カメラ３の数は１台に限らず、カメラ３及びターンテーブル２の位置設定により、靴に対する全方位の画像収集を実現できるのであれば、複数のカメラ３によってターンテーブル２における靴の全方位画像を収集してもよい。
【００４２】
好ましくは、着用物品情報収集システムは、内部にオリジナル情報及び特徴情報が記憶されている記憶装置を、さらに備える。記憶装置によって、靴の画像情報と、画像情報から抽出された靴のサイズ、スタイル、カテゴリ、色、ブランド、汚れた位置、汚れ具合、損傷した位置、損傷具合などの特徴情報を記憶することができるため、その後の作業でユーザーの靴情報の分析及び呼び出しが容易になる。記憶装置はローカル記憶、クラウド記憶、又はローカル記憶とクラウド記憶の両方を同時に使用してもよく、ネットワーク条件に応じて記憶装置を柔軟に選択することができる。記憶装置によって靴の画像情報及び特徴情報を記憶できるのであれば、当業者は、実際の応用では、記憶装置の記憶種類を柔軟に設定することができる。また、上記靴の画像情報及び特徴情報は、データパケットの形式で記憶装置に記憶されることが好ましい。もちろん、これに限定されるものではなく、靴の画像情報及び特徴情報は、他の記憶方式で記憶されてもよく、当業者は、実際の応用では、靴の画像情報及び特徴情報を記憶装置で記憶できるのであれば、記憶装置の記憶方式を柔軟に設定することができる。
【００４３】
好ましくは、着用物品情報収集システムはクラウドサーバーをさらに備え、クラウドサーバーが処理ユニット及び記憶ユニットを含み、処理ユニットにより処理装置４が構成され、記憶ユニットにより記憶装置が構成される。つまり、靴の画像情報を収集した後、通信伝送の方式により画像情報をクラウドの処理ユニットに伝送し、当該処理ユニットが靴の画像情報に対して特徴情報の抽出を行い、そして信号伝送の方式により、靴の画像情報及び特徴情報を記憶ユニットに伝送して情報データを記憶させることができる。当然、画像情報の分析処理及び特徴情報の抽出作業もローカルで行われてもよく、即ち、ローカル処理ユニットによって靴の画像情報を分析処理して特徴情報を抽出する。又は、クラウド処理ユニットとローカル処理ユニットの両方を使用して、靴の画像情報を分析して処理し、特徴情報を抽出することもでき、そのメリットは、ネットワーク信号が弱いときに、特徴情報の抽出に影響を与えることを回避できることにある。処理ユニットによって靴の画像情報の分析処理及び特徴情報の抽出を実施できるのであれば、当業者は、実際の応用では、処理ユニットの類型及び処理方法を柔軟に設定することができる。
【００４４】
なお、さらに、実際の応用では、靴の画像情報の分析処理によって、靴の複数の特徴情報を抽出することができる。上述したように、靴のサイズに対して特徴抽出を行う場合、カメラと靴との間の距離及び撮影角度によって計算し、当該靴自体の情報を組み合わせて、撮影された靴のサイズ情報を取得することができる。又は、靴のブランドを識別する際に、靴の画像情報全体のロゴの形状特徴を識別し、当該靴のブランドロゴと特徴の比較を行い、当該ロゴの形状特徴がブランドロゴと一致する場合、当該靴が当該ブランドに属すると判定でき、当該ロゴの形状特徴がブランドのロゴと一致しない場合、当該靴が当該ブランドに属しないと判定できるため、最終的なブランド判断結果が得られるまで比較を続けることができる。又は、靴の色の特徴情報を抽出するときに、さまざまな色データと比較して、靴の色に一致する色特徴情報を識別することができる。又は、靴の汚れた位置に関する特徴情報を抽出するとき、当該靴に対応するオリジナル情報を記憶装置のオリジナルデータベースから取り出し、比較することによって当該靴のオリジナル情報と異なる特徴部分を見つけ、靴の汚れた位置を決定することができる。靴の汚れた位置の特徴情報の抽出と同様に、靴の損傷した位置の特徴情報抽出も上記の方法を採用することができるが、靴の汚れ具合と損傷具合の特徴情報抽出は、靴の輪郭線を比較する方法を補助として追加してもよく、靴の汚れと破損の具合を、輪郭線のずれの程度によって判断することができる。もちろん、上記の靴の特徴情報の抽出方法は例示に過ぎず、特徴情報の特定の抽出方法の制限として使用することはできず、当業者は、靴の特徴情報を抽出できるのであれば、実際の応用では、任意の方法を使用してもよい。
【００４５】
好ましくは、処理装置４は特徴情報に基づいて靴の３Ｄモデルを構築することができる。さまざまな特徴情報を抽出することにより、抽出した特徴情報に基づいて改めて組み合わせて３Ｄモデルを構築し、靴の３Ｄモデルの記憶、編集及び閲覧を実現する。当然ながら、実際の応用では、上記特徴情報を使用して３Ｄモデルを検索し、それに対応する３Ｄモデルを直接的に呼び出すこともできる。
【００４６】
他方では、本発明は着用物品情報収集方法をさらに提供し、当該着用物品情報収集方法は、着用物品のオリジナル情報を収集することと、オリジナル情報から着用物品の特徴情報を抽出することとを含む。当該着用物品情報収集方法に基づいて、人が行う代わりに機器を利用して、ユーザーの着用物品の情報及びニーズを記録し、作業効率を向上させながら、情報記録の精度を向上させ、ユーザーに対するその後のサービスをより適切に実行させる。
【００４７】
好ましい実施例において、図２に示すように、靴を例として、当該着用物品情報収集方法は、
Ｓ１：靴を回転させるステップと、
Ｓ２：靴に対して画像情報の収集を行うステップと、
Ｓ３：靴の画像情報に対して特徴情報の抽出を行うステップと、
Ｓ４：オリジナル情報及び特徴情報を記憶するステップと、
Ｓ５：靴の特徴情報に基づいて、靴の３Ｄモデルを構築するステップとを含む。
【００４８】
上記方法において、ステップＳ１及びＳ２は、順番に或いは同時に行われてもよく、当該実行方式の設定により、靴の画像情報の収集を実現できるのであれば、当業者は、実際の応用では、ステップＳ１及びＳ２の実行方式を柔軟に設定することができる。
【００４９】
好ましくは、「着用物品の特徴情報を抽出すること」及び「オリジナル情報及び特徴情報を記憶すること」の操作は、バックグラウンド又はクラウドで行われる。即ち、前述したように、特徴情報の抽出と、オリジナル情報及び特徴情報の記憶は、ローカルで行われてもよく、又はクラウドで行われてもよいが、詳細はここでは説明しない。
【００５０】
また、ステップＳ５は、選択的に行なわれてもよく、同時にステップＳ５は、ステップＳ４の前、その後、又は同時に行なわれてもよく、当業者は、実際の応用では、ステップＳ５の実行方式及びステップＳ５を実行するかどうかを柔軟に設定することができる。さらに、靴の３Ｄモデルを構築する操作は、バックグラウンドで行なわれてもよく、又はクラウドで行なわれてもよい。
【００５１】
これまで、図面に示された好ましい実施例を参照して本発明の技術手段を説明したが、本発明の保護範囲がこれらの特定の実施形態に限定されないことは当業者には容易に理解できる。本発明の原理から逸脱せずに、当業者は関連する技術特徴に対して相当になる変更又は変換を行うことができるが、これらの変更又は変換後の技術手段はすべて本発明の保護範囲に入る。
【図１】
2020536298.tif 000003
【図２】
2020536298.tif 000004
【国際調査報告】
2020536298.tif 000005
2020536298.tif 000006
2020536298.tif 000007
2020536298.tif 000008